(57)【要約】      （修正有）【課題】単純な構成で映像表示装置の画面の位置を認識することが可能なマルチ画面表示装置を提供する。【解決手段】マルチ画面１０００に映像を表示する複数の映像表示装置１００−１〜１２は通信ケーブル７１によりデイジーチェーン接続され、前記デイジーチェーン接続により当該複数の映像表示装置において情報が伝達される順序である伝達順序が規定されており、各前記映像表示装置は規定されている前記伝達順序に基づいて、前記マルチ画面における当該映像表示装置が有する前記画面の座標を算出する算出部を備える。【選択図】図１
2015210340.tif 000002
【特許請求の範囲】
【請求項１】
通信ケーブルによりデイジーチェーン接続された複数の映像表示装置がそれぞれ有する複数の画面が行列状に配置されて構成されるマルチ画面に映像を表示するマルチ画面表示装置であって、
前記複数の映像表示装置には、前記デイジーチェーン接続により、当該複数の映像表示装置において情報が伝達される順序である伝達順序が規定されており、
各前記映像表示装置は、
規定されている前記伝達順序に基づいて、前記マルチ画面における、当該映像表示装置が有する前記画面の座標を算出する算出部を備える
マルチ画面表示装置。
【請求項２】
前記算出部は、前記伝達順序を示す番号である順序番号と、前記複数の画面に対応する行列における行数または列数とに基づいて、前記座標を算出する
請求項１に記載のマルチ画面表示装置。
【請求項３】
前記複数の映像表示装置には、前記伝達順序に従って、前記順序番号を算出するための番号情報が伝達され、
前記複数の映像表示装置のうち、前記番号情報を受信するタイミングが最も遅い映像表示装置以外の映像表示装置である非終端映像表示装置の前記算出部は、さらに、前記番号情報に基づいて、当該非終端映像表示装置の次に当該番号情報を受信する予定の別の前記映像表示装置の前記順序番号を算出する
請求項２に記載のマルチ画面表示装置。
【請求項４】
各前記映像表示装置の前記算出部は、さらに、当該映像表示装置を識別するための識別番号を、当該各映像表示装置に対し当該識別番号を設定するための予め定められた規則と、算出した前記座標とに基づいて、算出する
請求項１から３のいずれか１項に記載のマルチ画面表示装置。
【請求項５】
各前記映像表示装置は、さらに、
算出された前記識別番号を、当該映像表示装置に対して設定する設定部を備える
請求項４に記載のマルチ画面表示装置。
【請求項６】
各前記映像表示装置の前記設定部は、さらに、算出された前記座標を、当該映像表示装置に対して設定する
請求項５に記載のマルチ画面表示装置。
【請求項７】
各前記映像表示装置は、さらに、
前記識別番号、前記座標、および、前記順序番号の全てまたは一部を、当該映像表示装置が有する前記画面に表示するための制御を行う表示処理部を備える
請求項４から６のいずれか１項に記載のマルチ画面表示装置。
【発明の詳細な説明】
【技術分野】
【０００１】
本発明は、複数の画面から構成されるマルチ画面に映像を表示するマルチ画面表示装置に関する。
【背景技術】
【０００２】
大画面に映像を表示する装置として、複数の画面から構成されるマルチ画面に映像を表示するマルチ画面表示装置が存在する。マルチ画面表示装置では、複数の映像表表示装置が連動して動作する。すなわち、マルチ画面表示装置は、複数の映像表表示装置により、１つの装置として動作する。マルチ画面表示装置は、複数の映像表表示装置が、行列状に並べて構成される。当該行列は、例えば、３行３列の行列である。この構成により、１つの大画面が構成される。
【０００３】
このような複数の映像表示装置から構成されるマルチ画面表示装置では、マルチ画面を構成する各画面の映像が、同一の輝度および画質を有する必要がある。そのためには、各映像表示装置の画面に表示される映像の輝度および画質を、各映像表示装置毎に調整する必要がある。当該調整を行うには、各映像表示装置を識別するための識別番号を設定する必要がある。特許文献１では、リモートコントローラを使用して、ディスプレイ装置ごとにＩＤ番号（識別番号）を設定する技術が開示されている。
【０００４】
また、マルチ画面全体に１つの映像を表示する場合、当該マルチ画面を構成する各画面には、当該１つの映像の一部が拡大して表示される。この場合、各映像表示装置の画面が、マルチ画面のどの位置に配置されているか認識する必要がある。
【０００５】
特許文献２では、デイジーチェーン接続された複数の表示装置において、表示装置の位置を検出するための技術（以下、関連技術Ａともいう）が開示されている。具体的には、関連技術Ａでは、各表示装置が表示する画像を撮像装置が撮像する。そして、撮像された画像に基づいて、表示装置の位置を検出する。
【先行技術文献】
【特許文献】
【０００６】
【特許文献１】特開２００６−２５４２７５号公報（段落００２０〜００２６、図４）
【特許文献２】特許第５１９３５６３号公報（段落００６９〜００７４、図７）
【発明の概要】
【発明が解決しようとする課題】
【０００７】
デイジーチェーン接続された複数の映像表示装置がそれぞれ有する複数の画面から構成されるマルチ画面において、メンテナンス等の対象となる特定の映像表示装置の画面の位置の認識（把握）が必要な場合がある。このような場合に、関連技術Ａを利用した構成では、別途、撮像装置が必要である。そのため、関連技術Ａを利用した構成では、構成が複雑なため、コストが高いという問題がある。
【０００８】
本発明は、このような問題を解決するためになされたものであり、単純な構成で映像表示装置の画面の位置を認識することが可能なマルチ画面表示装置を提供することを目的とする。
【課題を解決するための手段】
【０００９】
上記目的を達成するために、本発明の一態様に係るマルチ画面表示装置は、通信ケーブルによりデイジーチェーン接続された複数の映像表示装置がそれぞれ有する複数の画面が行列状に配置されて構成されるマルチ画面に映像を表示する。前記複数の映像表示装置には、前記デイジーチェーン接続により、当該複数の映像表示装置において情報が伝達される順序である伝達順序が規定されており、各前記映像表示装置は、規定されている前記伝達順序に基づいて、前記マルチ画面における、当該映像表示装置が有する前記画面の座標を算出する算出部を備える。
【発明の効果】
【００１０】
本発明によれば、算出部は、デイジーチェーン接続により規定されている前記伝達順序に基づいて、前記マルチ画面における、当該映像表示装置が有する前記画面の座標を算出する。これにより、例えば、画面の座標を算出するために、従来のような撮像装置等を別途設ける必要はない。そのため、単純な構成で映像表示装置の画面の位置を認識することができる。
【図面の簡単な説明】
【００１１】
【図１】本発明の実施の形態１に係るマルチ画面表示装置の構成を示す図である。
【図２】マルチ画面の構成の一例を示す図である。
【図３】本発明の実施の形態１に係る映像表示装置の構成を示すブロック図である。
【図４】マルチ画面に映像を表示するための構成を説明するための図である。
【図５】識別番号設定処理ＥＸのフローチャートである。
【図６】マルチ画面表示装置を構成する各映像表示装置の接続構成の他の例を示す図である。
【図７】識別番号設定処理Ｍのフローチャートである。
【図８】ＩＤ設定対応処理のフローチャートである。
【図９】順序番号設定制御処理のフローチャートである。
【図１０】座標算出制御処理のフローチャートである。
【図１１】ＩＤ設定制御処理のフローチャートである。
【図１２】設定情報表示処理のフローチャートである。
【図１３】各映像表示装置の画面に表示される設定情報の一例を示す図である。
【発明を実施するための形態】
【００１２】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１３】
＜実施の形態１＞
図１は、本発明の実施の形態１に係るマルチ画面表示装置１０００の構成を示す図である。なお、図１には、マルチ画面表示装置１０００に含まれない外部制御装置５も示される。外部制御装置５は、例えば、ＰＣ（Personal Computer）である。外部制御装置５は、作業者により操作されるインタフェース（以下、操作インタフェースともいう）を有する。操作インタフェースは、例えば、キーボード、マウスである。
【００１４】
図１に示すように、マルチ画面表示装置１０００は、映像表示装置１００−１，１００−２，１００−３，１００−４，１００−５，１００−６，１００−７，１００−８，１００−９，１００−１０，１００−１１，１００−１２を含む。
【００１５】
映像表示装置１００−１，１００−２，１００−３，１００−４，１００−５，１００−６，１００−７，１００−８，１００−９，１００−１０，１００−１１，１００−１２の各々は、詳細は後述するが、同一の構成を有する。以下においては、映像表示装置１００−１，１００−２，１００−３，１００−４，１００−５，１００−６，１００−７，１００−８，１００−９，１００−１０，１００−１１，１００−１２の各々を、単に、映像表示装置１００とも表記する。
【００１６】
図１において、Ｘ，Ｙ方向の各々は、互いに直交する。以下の図に示されるＸ，Ｙ方向の各々も、互いに直交する。以下においては、Ｘ方向と、当該Ｘ方向の反対の方向（−Ｘ方向）とを含む方向をＸ軸方向ともいう。また、以下においては、Ｙ方向と、当該Ｙ方向の反対の方向（−Ｙ方向）とを含む方向をＹ軸方向ともいう。また、以下においては、Ｘ軸方向およびＹ軸方向を含む平面を、ＸＹ面ともいう。
【００１７】
マルチ画面表示装置１０００は、１２台の映像表示装置１００から構成される。なお、マルチ画面表示装置１０００を構成する映像表示装置１００の数は、１２に限定されず、２〜１１または１３以上であってもよい。
【００１８】
マルチ画面表示装置１０００では、複数の映像表示装置１００が連動して動作する。これにより、１または複数のディスプレイとして機能する。マルチ画面表示装置１０００は、１２台の映像表示装置１００が、一例として、３行４列の行列状に配置されることにより構成される。マルチ画面表示装置１０００を構成する複数の映像表示装置１００は、通信ケーブル７１によりデイジーチェーン接続されている。
【００１９】
以下においては、デイジーチェーン接続された複数の映像表示装置において情報（データ）が伝達される順序を、伝達順序ともいう。すなわち、マルチ画面表示装置１０００を構成する複数の映像表示装置１００には、デイジーチェーン接続により、当該複数の映像表示装置１００において情報（データ）が伝達される順序（伝達順序）が規定されている。
【００２０】
具体的には、映像表示装置１００−１，１００−２，１００−３，１００−４，１００−５，１００−６，１００−７，１００−８，１００−９，１００−１０，１００−１１，１００−１２の順で、情報（データ）が伝達されるように、１２台の映像表示装置１００は、デイジーチェーン接続される。すなわち、マルチ画面表示装置１０００を構成する複数の映像表示装置１００において、情報（データ）は、伝達順序に従って伝達される。
【００２１】
以下においては、伝達順序を示す番号を、順序番号ともいう。順序番号は、マルチ画面表示装置１０００を構成する複数の映像表示装置１００において、データが伝達される順番である。映像表示装置１００−１，１００−２，１００−３，１００−４，１００−５，１００−６，１００−７，１００−８，１００−９，１００−１０，１００−１１，１００−１２の順序番号は、それぞれ、１，２，３，４，５，６，７，８，９，１０，１１，１２である。
【００２２】
以下においては、マルチ画面表示装置１０００を構成する複数の映像表示装置１００のうち、順序番号の値が最も大きい映像表示装置１００を、終端映像表示装置ともいう。終端映像表示装置は、例えば、映像表示装置１００−１２である。また、以下においては、マルチ画面表示装置１０００を構成する複数の映像表示装置１００のうち、終端映像表示装置以外の映像表示装置１００を、非終端映像表示装置ともいう。
【００２３】
映像表示装置１００は、液晶ディスプレイ（ＬＣＤ（Liquid Crystal Display））である。なお、映像表示装置１００は、ＬＣＤに限定されず、リアプロジェクション方式の表示装置であってもよい。リアプロジェクション方式の表示装置は、画面の背面から当該画面に映像を投射する表示である。マルチ画面表示装置１０００を構成する各映像表示装置１００は、外部から入力される映像信号に基づいた映像を表示する。
【００２４】
映像表示装置１００−１，１００−２，１００−３，１００−４，１００−５，１００−６，１００−７，１００−８，１００−９，１００−１０，１００−１１，１００−１２は、それぞれ、図２おける画面１０−１，１０−２，１０−３，１０−４，１０−５，１０−６，１０−７，１０−８，１０−９，１０−１０，１０−１１，１０−１２を有する。
【００２５】
マルチ画面表示装置１０００は、図２のマルチ画面１０Ａを含む。図２に示すように、マルチ画面１０Ａは、画面１０−１，１０−２，１０−３，１０−４，１０−５，１０−６，１０−７，１０−８，１０−９，１０−１０，１０−１１，１０−１２が行列状に配置されて構成される１つの画面である。
【００２６】
以下においては、画面１０−１，１０−２，１０−３，１０−４，１０−５，１０−６，１０−７，１０−８，１０−９，１０−１０，１０−１１，１０−１２の各々を、画面１０とも表記する。すなわち、マルチ画面１０Ａは、複数の映像表示装置１００がそれぞれ有する複数の画面１０が行列状に配置されて構成される。画面１０は、映像を表示するための面である。画面１０は、例えば、ガラス、スクリーン等である。なお、マルチ画面１０Ａを構成する画面１０の数は、１２に限定されず、２〜１１または１３以上であってもよい。
【００２７】
マルチ画面表示装置１０００は、各映像表示装置１００が画面１０に映像を表示することにより、マルチ画面１０Ａに映像を表示する。
【００２８】
次に、映像表示装置１００の構成について説明する。図３は、本発明の実施の形態１に係る映像表示装置１００の構成を示すブロック図である。なお、図３には、映像表示装置１００に含まれない映像ソース装置４および外部制御装置５も示される。
【００２９】
映像表示装置１００は、制御部２０と、記憶部３２と、通信ポート３４ａと、通信ポート３４ｂと、通信処理部３６と、映像入力回路３７と、表示処理部３８と、表示部４０とを備える。
【００３０】
制御部２０は、映像表示装置１００内の各部（例えば、通信処理部３６、表示処理部３８）を制御する。制御部２０は、例えば、ＣＰＵ（Central Processing Unit）である。制御部２０は、算出部２１と、設定部２２とを含む。算出部２１は、詳細は後述するが、各種の演算を行う。設定部２２は、詳細は後述するが、各種情報の設定を行う。
【００３１】
なお、制御部２０に含まれる、算出部２１および設定部２２の全て又は一部は、ＬＳＩ（Large Scale Integration）等のハードウエアで構成されてもよい。また、算出部２１および設定部２２の全て又は一部は、ＣＰＵ等のプロセッサにより実行される、プログラムのモジュールであってもよい。
【００３２】
通信ポート３４ａは、データ（情報）を受信するためのポートである。また、通信ポート３４ｂは、データ（情報）を送信するためのポートである。前述したように、マルチ画面表示装置１０００を構成する複数の映像表示装置１００は、通信ケーブル７１によりデイジーチェーン接続されている。そのため、例えば、映像表示装置１００−１の通信ポート３４ｂと、映像表示装置１００−２の通信ポート３４ａとは、通信ケーブル７１により接続される。また、例えば、映像表示装置１００−２の通信ポート３４ｂと、映像表示装置１００−３の通信ポート３４ａとは、通信ケーブル７１により接続される。なお、映像表示装置１００−１の通信ポート３４ａは、通信ケーブル７１により、外部制御装置５と接続される。
【００３３】
また、映像表示装置１００は、通信に関する動作モードとして、通常モードと、ＩＤ設定モードとを有する。通常モードは、映像表示装置１００が、前述の伝達順序に従って、データ（情報）を送信するためのモードである。ＩＤ設定モードは、詳細は後述するが、後述の識別番号を設定するためのモードである。
【００３４】
通信処理部３６は、通信を制御するための状態として、通常状態および転送停止状態を有する。通常状態の通信処理部３６は、通信ポート３４ａが受信したデータ（信号）を、通信ポート３４ｂへ送信（転送）する。また、通常状態の通信処理部３６は、通信ポート３４ｂが受信したデータを、通信ポート３４ａへ送信する。
【００３５】
また、通常状態の通信処理部３６は、通信ポート３４ａまたは通信ポート３４ｂが受信したデータを、制御部２０へ送信する。また、通常状態の通信処理部３６は、制御部２０から受信するデータ（信号）を、当該データの宛先に従って、通信ポート３４ａまたは通信ポート３４ｂへ送信する。当該データの宛先は、例えば、外部制御装置５、または、別の映像表示装置１００である。通信処理部３６は、状況に応じて通信相手を変える通信切替部として機能する。
【００３６】
なお、転送停止状態の通信処理部３６は、通信ポート３４ａが受信したデータを、制御部２０のみへ送信し、通信ポート３４ｂへ送信しない。
【００３７】
映像入力回路３７は、マルチ画面表示装置１０００の外部に配置された映像ソース装置４が出力する映像信号を受信する。次に、映像入力回路３７は、デジタル信号に変換した映像信号を、表示処理部３８へ出力する。
【００３８】
表示処理部３８は、表示部４０を制御する。具体的には、表示処理部３８は、受信した映像信号が示す画像に対し画質調整等の画像処理を行う画像処理回路である。また、表示処理部３８は、ＯＳＤ（On Screen Display）などの画像処理の機能も有する。表示処理部３８は、画像処理された映像信号を、表示部４０が処理可能なフォーマットの映像信号に変換する。
【００３９】
また、表示処理部３８は、必要に応じて、制御部２０からの指示に従って、映像信号が示す画像に、例えば、メニューなどの情報を重畳した画像を示す映像信号を、表示部４０へ送信する。
【００４０】
表示部４０は、画面１０（図示せず）に映像を表示するためのデバイスである。表示部４０は、表示処理部３８から受信した映像信号が示す画像を画面１０に表示する。表示部４０は、ＬＣＤパネルである。なお、表示部４０は、ＬＣＤパネルに限定されず、画像を表示する他の方式の装置であってもよい。表示部４０は、例えば、リアプロジェクション方式の表示装置のうち、画面１０に映像を投射するための表示デバイス等であってもよい。
【００４１】
外部制御装置５が、マルチ画面表示装置１０００を構成する各映像表示装置１００のうち、特定の映像表示装置１００を個別に制御する場合、当該各映像表示装置１００に、異なる識別番号が設定される必要がある。当該識別番号は、映像表示装置１００を識別するための番号（ＩＤ）である。なお、図１において、映像表示装置１００−１〜１００−１２に示される番号は、識別番号である。以下においては、識別番号を、識別番号ｉとも表記する。
【００４２】
また、例えば、マルチ画面表示装置１０００が、拡大表示処理を行うとする。拡大表示処理では、例えば、マルチ画面１０Ａ全体に、図４（ａ）の画像Ｇ１０を表示する処理を行うとする。すなわち、マルチ画面表示装置１０００が、画像Ｇ１０を拡大表示する処理を行うとする。この場合、各映像表示装置１００へ画像Ｇ１０が共通して送信される。そして、各映像表示装置１００は、画像Ｇ１０のうち、必要な領域の画像を拡大して表示する。例えば、映像表示装置１００−１は、画像Ｇ１０のうち、領域Ｒ１０内の画像を、画面１０−１に拡大して表示する（図４（ｂ）参照）。
【００４３】
拡大表示処理を行うために、マルチ画面表示装置１０００を構成する各映像表示装置１００には、行列情報ＭＪ、前述の順序番号、座標Ｐ等が予め設定される。行列情報ＭＪとは、マルチ画面１０Ａを構成する複数の画面１０の位置を特定するための行列の情報である。以下においては、マルチ画面１０Ａを構成する複数の画面１０の位置を特定するための行列を、行列ＭＸともいう。すなわち、行列ＭＸは、マルチ画面１０Ａを構成する複数の画面１０に対応する行列である。また、行列情報ＭＪとは、行列ＭＸにおける行数ｒｗ（ｒｗは自然数）および列数ｃｌ（ｃｌは自然数）である。
【００４４】
また、以下においては、マルチ画面表示装置１０００を構成する各映像表示装置１００の位置を特定するための行列も、行列ＭＸという。例えば、図１において、マルチ画面表示装置１０００は、１２台の映像表示装置１００が、行列ＭＸとしての３行４列の行列状に配置されて構成される。
【００４５】
座標Ｐとは、マルチ画面１０Ａにおける、映像表示装置１００が有する画面１０の座標である。座標Ｐは、（ｘ（自然数）、ｙ（自然数））で表現される。座標Ｐ（ｘ、ｙ）において、「ｘ」は、マルチ画面１０Ａにおける画面１０のｘ軸方向（水平方向）の位置（座標）である。「ｙ」は、マルチ画面１０Ａにおける画面１０のｙ軸方向（縦方向）の位置（座標）である。例えば、図２において、映像表示装置１００−３が有する画面１０−３の座標Ｐは、（３，１）である。
【００４６】
上記の行列情報、順序番号、座標Ｐ等に従って、各映像表示装置１００は、画像Ｇ１０のうち、必要な領域の画像を、画面１０全体に拡大表示する。ここで、一例として、映像表示装置１００−１には、行数ｒｗ＝３、列数ｃｌ＝４および座標Ｐ（１，１）が設定されているとする。この場合、映像表示装置１００−１は、図４（ａ）の領域１０内の画像を、図４（ｂ）のように、画面１０に拡大表示する。
【００４７】
本実施の形態では、マルチ画面表示装置１０００を構成する各映像表示装置１００に、識別番号ｉと、座標Ｐとを設定するための処理（以下、識別番号設定処理ともいう）が行われる。以下においては、識別番号設定処理において外部制御装置５が行う処理を、識別番号設定処理ＥＸともいう。また、以下においては、識別番号設定処理において各映像表示装置１００が行う処理を、識別番号設定処理Ｍともいう。なお、前述したように、外部制御装置５は、通信ケーブル７１により、図２の画面１０−１を有する映像表示装置１００−１の通信ポート３４ａと接続される。
【００４８】
図５は、識別番号設定処理ＥＸのフローチャートである。識別番号設定処理ＥＸでは、まず、ステップＳ１１０の処理が行われる。
【００４９】
ステップＳ１１０では、行列情報入力処理が行われる。行列情報入力処理では、作業者が、外部制御装置５に対し、操作インタフェースを利用して、行列情報ＭＪとして、行数ｒｗ、列数ｃｌを入力する。
【００５０】
ステップＳ１２０では、配線構成情報Ｗを入力するための配線構成情報入力処理が行われる。配線構成情報Ｗとは、各映像表示装置１００を接続する各通信ケーブル７１の構成を特定する情報である。以下においては、各映像表示装置１００を接続する各通信ケーブル７１の構成を、ケーブル接続構成ともいう。
【００５１】
また、以下においては、図１に示されるケーブル接続構成を、横方向接続構成ともいう。横方向接続構成では、行列ＭＸの各行に対応する各映像表示装置１００に対する、各通信ケーブル７１の接続方向はＸ軸方向である。なお、横方向接続構成では、行列ＭＸの各行に対応する各映像表示装置１００のうち、順序番号が最大である映像表示装置１００は、当該映像表示装置１００の−Ｙ方向に存在する映像表示装置１００と、Ｙ軸方向に延在する通信ケーブル７１により接続される。
【００５２】
例えば、図１において、行列ＭＸの１行目に対応する各映像表示装置１００のうち、順序番号が４である映像表示装置１００−４は、当該映像表示装置１００−４の−Ｙ方向に存在する映像表示装置１００−５と、Ｙ軸方向に延在する通信ケーブル７１により接続される。
【００５３】
なお、マルチ画面表示装置１０００を構成する各映像表示装置１００における、通信ケーブル７１の接続構成は、図６に示される構成であってもよい。以下においては、図６に示されるケーブル接続構成を、縦方向接続構成ともいう。縦方向接続構成では、行列ＭＸの各列に対応する各映像表示装置１００に対する、各通信ケーブル７１の接続方向はＹ軸方向である。なお、縦方向接続構成では、行列ＭＸの各列に対応する各映像表示装置１００のうち、順序番号が最大である映像表示装置１００は、当該映像表示装置１００のＸ方向に存在する映像表示装置１００と、Ｙ軸方向に延在する通信ケーブル７１により接続される。
【００５４】
例えば、図６において、行列ＭＸの１列目に対応する各映像表示装置１００のうち、順序番号が３である映像表示装置１００−３は、当該映像表示装置１００−３のＸ方向に存在する映像表示装置１００−４と、Ｘ軸方向に延在する通信ケーブル７１により接続される。
【００５５】
再び、図５を参照して、ステップＳ１２０の配線構成情報入力処理では、作業者が、外部制御装置５に対し、操作インタフェースを利用して、配線構成情報Ｗを入力する。当該配線構成情報Ｗは、例えば、横方向接続構成または縦方向接続構成を特定する情報である。
【００５６】
ステップＳ１３０では、ＩＤ設定規則情報Ｒを入力するためのＩＤ設定規則情報入力処理が行われる。ＩＤ設定規則情報Ｒとは、各映像表示装置１００に対し、識別番号ｉを設定するため規則（以下、ＩＤ設定規則ともいう）を特定する情報である。また、ＩＤ設定規則は、マルチ画面表示装置１０００を構成する各映像表示装置１００に対し識別番号ｉを設定するための予め定められた規則である。ＩＤ設定規則は、作業者（人）が識別番号ｉを認識しやすいように定められる規則である。
【００５７】
以下においては、識別番号ｉの設定対象となる映像表示装置１００を、設定対象映像表示装置ともいう。また、以下においては、行列ＭＸのうち、下端の行を除く各行に対応する各映像表示装置１００のうち、行列ＭＸの右端の列に対応する映像表示装置１００を、右端映像表示装置ともいう。例えば、図１において、行列ＭＸの１行目に対応する右端映像表示装置は、映像表示装置１００−４である。また、以下においては、行列ＭＸのうち、１行目を除く各行に対応する各映像表示装置１００のうち、行列ＭＸの左端の列に対応する映像表示装置１００を、左端映像表示装置ともいう。
【００５８】
また、以下においては、マルチ画面表示装置１０００を構成する各映像表示装置１００に対し、図１のように識別番号ｉを設定するためのＩＤ設定規則を、横方向設定規則ともいう。横方向設定規則では、行列ＭＸの各行に対応する各映像表示装置１００において、設定対象映像表示装置が１つ右に移動する毎に、設定される識別番号ｉの値は、１インクリメントされる。
【００５９】
具体的には、横方向設定規則では、行列ＭＸの各行に対応する各映像表示装置１００において、（ｘ＋１）列目の映像表示装置１００に対し設定する識別番号ｉの値は、ｘ列目の映像表示装置１００に対し設定する識別番号ｉの値より１だけ大きくされる。例えば、図１において、行列ＭＸの１行目に対応する各映像表示装置１００において、２列目の映像表示装置１００−２に対し設定する識別番号ｉの値は、１列目の映像表示装置１００−１に対し設定される識別番号ｉ（１）より１だけ大きい２が設定される。
【００６０】
なお、横方向設定規則では、右端映像表示装置の次に識別番号ｉの設定対象となる設定対象映像表示装置は、行列ＭＸのうち、当該右端映像表示装置に対応する行の次の行に対応する左端映像表示装置である。例えば、横方向設定規則では、行列ＭＸの１行目に対応する映像表示装置１００−４の次に識別番号ｉの設定対象となる設定対象映像表示装置は、行列ＭＸの２行目に対応する映像表示装置１００−８である。
【００６１】
また、以下においては、行列ＭＸのうち、右端の列を除く各列に対応する各映像表示装置１００のうち、行列ＭＸの下端の行に対応する映像表示装置１００を、下端映像表示装置ともいう。例えば、図６において、行列ＭＸの１列目に対応する下端映像表示装置は、映像表示装置１００−３である。また、以下においては、行列ＭＸのうち、１列目を除く各列に対応する各映像表示装置１００のうち、行列ＭＸの上端の行に対応する映像表示装置１００を、上端映像表示装置ともいう。
【００６２】
また、以下においては、マルチ画面表示装置１０００を構成する各映像表示装置１００に対し、図６のように識別番号ｉを設定するためのＩＤ設定規則を、縦方向設定規則ともいう。縦方向設定規則では、行列ＭＸの各列に対応する各映像表示装置１００において、設定対象映像表示装置が１つ下に移動する毎に、設定される識別番号ｉの値は、１インクリメントされる。
【００６３】
具体的には、縦方向設定規則では、行列ＭＸの各列に対応する各映像表示装置１００において、（ｙ＋１）行目の映像表示装置１００に対し設定する識別番号ｉの値は、ｙ行目の映像表示装置１００に対し設定する識別番号ｉの値より１だけ大きくされる。例えば、図６において、行列ＭＸの１列目に対応する各映像表示装置１００において、２行目の映像表示装置１００−２に対し設定する識別番号ｉの値は、１行目の映像表示装置１００−１に対し設定される識別番号ｉ（１）より１だけ大きい２が設定される。
【００６４】
なお、縦方向設定規則では、下端映像表示装置の次に識別番号ｉの設定対象となる設定対象映像表示装置は、行列ＭＸのうち、当該下端映像表示装置に対応する列の次の列に対応する上端映像表示装置である。例えば、縦方向設定規則では、行列ＭＸの１列目に対応する映像表示装置１００−３の次に識別番号ｉの設定対象となる設定対象映像表示装置は、行列ＭＸの２列目に対応する映像表示装置１００−６である。
【００６５】
再び、図５を参照して、ステップＳ１３０のＩＤ設定規則情報入力処理では、作業者が、外部制御装置５に対し、操作インタフェースを利用して、ＩＤ設定規則情報Ｒを入力する。当該ＩＤ設定規則情報Ｒは、例えば、縦方向設定規則または縦方向設定規則を特定する情報である。
【００６６】
ステップＳ１４０では、外部制御装置５が、ＩＤ設定モード移行指示を、映像表示装置１００−１へ送信する。ＩＤ設定モード移行指示とは、映像表示装置１００の動作モードを、前述の通常モードからＩＤ設定モードに移行させるための指示である。ＩＤ設定モード移行指示の送信先は、映像表示装置１００−１〜１００−１２である。
【００６７】
映像表示装置１００−１は、ＩＤ設定モード移行指示を受信した場合、当該ＩＤ設定モード移行指示を、前述の伝達順序に従って、映像表示装置１００−２へ送信する。なお、映像表示装置１００−３〜１００−１１の各々も、映像表示装置１００−１と同様に、受信したＩＤ設定モード移行指示を、前述の伝達順序に従って、次の映像表示装置１００へ送信する。これにより、マルチ画面表示装置１０００を構成する各映像表示装置１００は、ＩＤ設定モード移行指示を受信する。
【００６８】
なお、ステップＳ１４０の処理が終了したときから、時間Ｔ１経過した後、ステップＳ１５０の処理が行われる。時間Ｔ１は、マルチ画面表示装置１０００を構成する全ての映像表示装置１００が、ＩＤ設定モード移行指示を受信するために必要な時間より長い時間が設定される。すなわち、ステップＳ１５０の処理が開始されるときには、マルチ画面表示装置１０００を構成する全ての映像表示装置１００は、ＩＤ設定モード移行指示を受信している。
【００６９】
ステップＳ１５０では、ＩＤ設定情報送信処理が行われる。ＩＤ設定情報送信処理では、外部制御装置５が、ＩＤ設定情報を、映像表示装置１００−１へ送信する。これにより、この識別番号設定処理ＥＸは終了する。ＩＤ設定情報は、行列情報ＭＪ（行数ｒｗ、列数ｃｌ）、配線構成情報Ｗ、ＩＤ設定規則情報Ｒ、カウンタｎを含む情報である。当該カウンタｎは、順序番号を算出するための番号情報である。カウンタｎには、初期値として、１が設定される。ＩＤ設定情報の送信先は、映像表示装置１００−１のみである。すなわち、ＩＤ設定情報は、映像表示装置１００−１のみに送信される情報である。
【００７０】
ＩＤ設定情報送信処理により、映像表示装置１００−１は、ＩＤ設定情報を受信する。具体的には、映像表示装置１００−１の通信処理部３６は、通信ポート３４ａからＩＤ設定情報を受信する。そして、当該通信処理部３６は、ＩＤ設定情報を、制御部２０のみへ送信する。これにより、映像表示装置１００−１の制御部２０は、ＩＤ設定情報を受信する。そして、制御部２０は、当該ＩＤ設定情報を、記憶部３２に記憶させる。
【００７１】
次に、動作モードが通常モードである各映像表示装置１００が行う識別番号設定処理Ｍについて説明する。図７は、識別番号設定処理Ｍのフローチャートである。まず、映像表示装置１００−１が行う処理について説明する。識別番号設定処理Ｍでは、まず、ステップＳ２１０が行われる。
【００７２】
ステップＳ２１０では、指示受信処理が行われる。指示受信処理では、制御部２０がＩＤ設定モード移行指示を受信する。具体的には、前述のステップＳ１４０が行われることにより、通信切替部としての通信処理部３６は、通信ポート３４ａから、ＩＤ設定モード移行指示を受信する。通信処理部３６は、受信したＩＤ設定モード移行指示を、制御部２０および通信ポート３４ｂへ送信する。これにより、制御部２０はＩＤ設定モード移行指示を受信する。
【００７３】
なお、通信ポート３４ｂは、前述の伝達順序に従った映像表示装置１００（例えば、映像表示装置１００−２）へ送信する。具体的には、通信ポート３４ｂは、受信したＩＤ設定モード移行指示を、当該通信ポート３４ｂを有する映像表示装置１００の順序番号の値より１だけ大きい順序番号が設定された映像表示装置１００へ送信する。
【００７４】
また、識別番号設定処理Ｍを行う映像表示装置１００が、終端映像表示装置（映像表示装置１００−１２）である場合、指示受信処理では、通信処理部３６は、受信したＩＤ設定モード移行指示を、制御部２０のみへ送信する。
【００７５】
ステップＳ２２０では、ＩＤ設定モード移行処理が行われる。ＩＤ設定モード移行処理では、制御部２０は、映像表示装置１００の動作モードを、前述の通常モードからＩＤ設定モードに移行させる。これに伴い、制御部２０は、通信処理部３６の状態を、転送停止状態に設定する。前述したように、転送停止状態の通信処理部３６は、通信ポート３４ａが受信したデータを、通信ポート３４ｂへ送信しない。
【００７６】
ステップＳ２３０では、制御部２０が、規定期間に、前述のＩＤ設定情報を受信したか否かが判定される。規定期間とは、通信処理部３６がＩＤ設定モード移行指示を受信したときから時間Ｔ２だけ経過するまでの期間である。時間Ｔ２は、時間Ｔ１よりも十分に長い時間である。時間Ｔ２は、例えば、時間Ｔ１の３〜５倍の時間である。
【００７７】
ステップＳ２３０においてＹＥＳならば、処理はステップＳ２４０に移行する。一方、ステップＳ２３０においてＮＯならば、処理はステップＳ２５０に移行する。
【００７８】
ステップＳ２４０では、制御部２０がＩＤ設定対応処理を実行する。そして、この識別番号設定処理Ｍは終了する。
【００７９】
制御部２０が、規定期間にＩＤ設定情報を受信しなかった場合、ステップＳ２５０の処理が行われる。
【００８０】
ステップＳ２５０では、通常モード移行処理が行われる。通常モード移行処理では、制御部２０が、映像表示装置１００の動作モードを、ＩＤ設定モードから通常モードに移行させる。これに伴い、制御部２０は、通信処理部３６の状態を、通常状態に設定する。そして、この識別番号設定処理Ｍは終了する。
【００８１】
映像表示装置１００−２〜１００−１２の各々も、映像表示装置１００−１と同様に、識別番号設定処理Ｍを行う。これにより、映像表示装置１００−１〜１００−１２の各々は、独立して並列的に、ＩＤ設定対応処理を行う。また、映像表示装置１００−２〜１００−１２の各々が、識別番号設定処理Ｍ（指示受信処理）を行うことにより、映像表示装置１００−１〜１００−１２の各々は、ＩＤ設定モード移行指示を受信する。
【００８２】
次に、ＩＤ設定対応処理について説明する。図８は、ＩＤ設定対応処理のフローチャートである。まず、映像表示装置１００−１が行う処理について説明する。ＩＤ設定対応処理では、まず、ステップＳ３１０の処理が行われる。
【００８３】
ステップＳ３１０では、順序番号設定制御処理が行われる。順序番号設定制御処理は、各映像表示装置１００が順序番号を設定するための処理である。図９は、順序番号設定制御処理のフローチャートである。順序番号設定制御処理では、まず、ステップＳ３１１の処理が行われる。
【００８４】
ステップＳ３１１では、順序番号設定処理が行われる。順序番号設定処理では、制御部２０が、当該制御部２０を含む映像表示装置１００に対し順序番号を設定する。具体的には、制御部２０が、受信したＩＤ設定情報に含まれるカウンタｎを、順序番号として、記憶部３２に記憶させる。なお、前述したように、カウンタｎの初期値は、１である。
【００８５】
以下においては、マルチ画面表示装置１０００を構成する映像表示装置１００の数を、構成数Ｃともいう。構成数Ｃは、例えば、１２である。
【００８６】
ステップＳ３１２では、制御部２０が、カウンタｎの値が構成数Ｃより小さいか否かを判定する。構成数Ｃは、行数ｒｗ×列数ｃｌの式により算出される。ステップＳ３１２においてＹＥＳならば処理はステップＳ３１３へ移行する。一方、ステップＳ３１２においてＮＯならば、処理はステップＳ３１４Ａへ移行する。
【００８７】
ステップＳ３１３では、算出部２１が、カウンタｎの値を１インクリメントする。更新されたカウンタｎは、後述のステップＳ３１５の処理により、当該算出部２１を含む非終端映像表示装置の次にカウンタｎを受信する予定の別の映像表示装置１００の順序番号である。すなわち、ステップＳ３１３では、非終端映像表示装置の算出部２１は、カウンタｎに基づいて、当該別の映像表示装置１００の順序番号を算出する。
【００８８】
ステップＳ３１４では、通常モード移行処理が行われる。通常モード移行処理は、ステップＳ２５０の処理と同様であるので詳細な説明は繰り返さない。
【００８９】
ステップＳ３１５では、ＩＤ設定情報送信処理が行われる。ＩＤ設定情報送信処理では、制御部２０が、値が更新されたカウンタｎを含むＩＤ設定情報を、通信処理部３６および通信ポート３４ｂを介して、前述の伝達順序に従った次の映像表示装置１００へ送信する。映像表示装置１００−１がＩＤ設定情報送信処理を行う場合、伝達順序に従った次の映像表示装置１００は、映像表示装置１００−２である。なお、値が更新されたカウンタｎを含むＩＤ設定情報を受信した映像表示装置１００の制御部２０は、記憶部３２に、当該ＩＤ設定情報を記憶させる。
【００９０】
映像表示装置１００−１〜１００−１１の各々が、ステップＳ３１５の処理を行うことにより、マルチ画面表示装置１０００を構成する複数の映像表示装置１００には、伝達順序に従って、ＩＤ設定情報に含まれるカウンタｎが伝達される。なお、マルチ画面表示装置１０００を構成する複数の映像表示装置１００に含まれる終端映像表示装置（映像表示装置１００−１２）は、当該複数の映像表示装置１００のうち、ＩＤ設定情報（カウンタｎ）を受信するタイミングが最も遅い映像表示装置である。
【００９１】
ステップＳ３１２でＮＯである場合、すなわち、カウンタｎの値が構成数Ｃと等しい場合、ステップＳ３１２の処理を行っている映像表示装置１００は、終端映像表示装置である。この場合、処理はステップＳ３１４Ａへ移行する。
【００９２】
ステップＳ３１４Ａでは、ステップＳ３１４と同様通常モード移行処理が行われる。そして、この順序番号設定制御処理は終了し、処理は図８のＩＤ設定対応処理のステップＳ３２０へ移行する。
【００９３】
ステップＳ３２０では、座標Ｐを算出するための座標算出制御処理が行われる。図１０は、座標算出制御処理のフローチャートである。座標算出制御処理では、まず、ステップＳ３２１の処理が行われる。
【００９４】
ステップＳ３２１では、ケーブル接続構成の種類が判定される。具体的には、制御部２０（算出部２１）が、ケーブル接続構成が、横方向接続構成および縦方向接続構成のいずれであるか判定する。さらに具体的には、制御部２０（算出部２１）が、記憶部３２に記憶されているＩＤ設定情報に含まれる配線構成情報Ｗが、横方向接続構成および縦方向接続構成のいずれを特定する情報であるか判定する。
【００９５】
ケーブル接続構成が横方向接続構成である場合、処理はステップＳ３２２Ａへ移行する。一方、ケーブル接続構成が縦方向接続構成である場合、処理はステップＳ３２２Ｂへ移行する。
【００９６】
ステップＳ３２２Ａでは、座標算出処理Ａが行われる。座標算出処理Ａでは、算出部２１は、前述の伝達順序および行列ＭＸの情報に基づいて、座標Ｐを算出する。少し具体的には、算出部２１は、順序番号（ｎ）と、行列ＭＸにおける列数ｃｌとに基づいて、座標Ｐ（ｘ、ｙ）を算出する。順序番号（ｎ）とは、ステップＳ３２０の処理を行う映像表示装置１００の記憶部３２に記憶されたカウンタｎの値である。
【００９７】
具体的には、算出部２１は、座標Ｐ（ｘ、ｙ）のｙを、例えば、以下の条件Ａ１１〜Ａ１４に従って算出する。条件Ａ１１は、ｎ≦ｃｌの場合、ｙ＝１とする条件である。条件Ａ１２は、ｃｌ＜ｎ≦２×ｃｌの場合、ｙ＝２とする条件である。条件Ａ１３は、２×ｃｌ＜ｎ≦３×ｃｌの場合、ｙ＝３とする条件である。条件Ａ１４は、３×ｃｌ＜ｎ≦４×ｃｌの場合、ｙ＝４とする条件である。
【００９８】
ここで、例えば、ｎ＝３、列数ｃｌ＝４であるとする。この場合、ｙの値は、１と算出される。また、例えば、ｎ＝６、列数ｃｌ＝４であるとする。この場合、ｙの値は、２と算出される。
【００９９】
また、算出部２１は、座標Ｐ（ｘ、ｙ）のｘを、以下の条件Ａ２１，Ａ２２に従って算出する。条件Ａ２１は、算出したｙの値が奇数の場合、ｘを、以下の式１により算出するという条件である。
【０１００】
【数１】
2015210340.tif 000003
【０１０１】
ここで、例えば、ｎ＝３、ｙ＝１、列数ｃｌ＝４であるとする。この場合、ｘの値は、式１より、３と算出される。また、例えば、ｎ＝１１、ｙ＝３、列数ｃｌ＝４であるとする。この場合、ｘの値は、式１より、３と算出される。
【０１０２】
条件Ａ２２は、算出したｙの値が偶数の場合、ｘを、以下の式２により算出するという条件である。
【０１０３】
【数２】
2015210340.tif 000004
【０１０４】
ここで、例えば、ｎ＝６、ｙ＝２、列数ｃｌ＝４であるとする。この場合、ｘの値は、式２より、３と算出される。
【０１０５】
より具体的な例として、例えば、図１の映像表示装置１００−６が有する画面１０−６の座標Ｐ（ｘ、ｙ）を算出するとする。ここで、ｎ＝６、列数ｃｌ＝４であるとする。この場合、条件Ａ１２により、ｙの値は、２と算出される。また、条件Ａ２２より、ｘの値は、式２に基づき、３と算出される。すなわち、座標Ｐ（３、２）が算出される。座標Ｐが算出されると、処理は、ステップＳ３２３へ移行する。
【０１０６】
ステップＳ３２２Ｂでは、座標算出処理Ｂが行われる。座標算出処理Ｂでは、算出部２１は、前述の伝達順序および行列ＭＸの情報に基づいて、座標Ｐを算出する。少し具体的には、算出部２１は、前述の順序番号（ｎ）と、行列ＭＸにおける行数ｒｗとに基づいて、座標Ｐ（ｘ、ｙ）を算出する。
【０１０７】
具体的には、算出部２１は、座標Ｐ（ｘ、ｙ）のｘを、例えば、以下の条件Ｂ１１〜Ｂ１４に従って算出する。条件Ｂ１１は、ｎ≦ｒｗの場合、ｘ＝１とする条件である。条件Ｂ１２は、ｒｗ＜ｎ≦２×ｒｗの場合、ｘ＝２とする条件である。条件Ｂ１３は、２×ｒｗ＜ｎ≦３×ｒｗの場合、ｘ＝３とする条件である。条件Ｂ１４は、３×ｒｗ＜ｎ≦４×ｒｗの場合、ｘ＝４とする条件である。
【０１０８】
また、算出部２１は、座標Ｐ（ｘ、ｙ）のｙを、以下の条件Ｂ２１，Ｂ２２に従って算出する。条件Ｂ２１は、算出したｘの値が奇数の場合、ｙを、以下の式３により算出するという条件である。
【０１０９】
【数３】
2015210340.tif 000005
【０１１０】
ここで、例えば、ｎ＝７、ｘ＝３、行数ｒｗ＝３であるとする。この場合、ｙの値は、式３より、１と算出される。
【０１１１】
条件Ｂ２２は、算出したｘの値が偶数の場合、ｙを、以下の式４により算出するという条件である。
【０１１２】
【数４】
2015210340.tif 000006
【０１１３】
ここで、例えば、ｎ＝５、ｘ＝２、行数ｒｗ＝３であるとする。この場合、ｙの値は、式４より、２と算出される。
【０１１４】
より具体的な例として、例えば、図６の映像表示装置１００−６が有する画面１０−６の座標Ｐ（ｘ、ｙ）を算出するとする。ここで、ｎ＝６、行数ｒｗ＝３であるとする。この場合、条件Ｂ１２により、ｘの値は、２と算出される。また、条件Ｂ２２より、ｙの値は、式４に基づき、１と算出される。すなわち、座標Ｐ（２、１）が算出される。座標Ｐが算出されると、処理は、ステップＳ３２３へ移行する。
【０１１５】
なお、ステップＳ３２１と、ステップＳ３２２ＡまたはステップＳ３２２Ｂとが行われることにより、算出部２１は、ケーブル接続構成と、順序番号（ｎ）と、行列ＭＸにおける列数ｃｌまたは行数ｒｗとに基づいて、座標Ｐを算出する。
【０１１６】
ステップＳ３２３では、座標設定処理が行われる。座標設定処理では、設定部２２が、算出された座標Ｐを、当該制御部２０を含む当該映像表示装置１００に対して設定する。具体的には、設定部２２が、算出された座標Ｐを、記憶部３２に記憶させる。そして、この座標算出制御処理は終了し、処理は図８のＩＤ設定対応処理のステップＳ３３０に移行する。
【０１１７】
ステップＳ３３０では、ＩＤ設定制御処理が行われる。ＩＤ設定制御処理は、各映像表示装置１００が識別番号を設定するための処理である。図１１は、ＩＤ設定制御処理のフローチャートである。ＩＤ設定制御処理では、まず、ステップＳ３３１の処理が行われる。
【０１１８】
ステップＳ３３１では、ケーブル接続構成の種類が判定される。具体的には、制御部２０が、ケーブル接続構成が、横方向接続構成および縦方向接続構成のいずれであるか判定する。さらに具体的には、制御部２０（算出部２１）は、記憶部３２に記憶されているＩＤ設定情報に含まれる配線構成情報Ｗが、横方向接続構成および縦方向接続構成のいずれを特定する情報であるか判定する。
【０１１９】
ケーブル接続構成が横方向接続構成である場合、処理はステップＳ３３２Ａへ移行する。一方、ケーブル接続構成が縦方向接続構成である場合、処理はステップＳ３３２Ｂへ移行する。
【０１２０】
ステップＳ３３２Ａでは、ＩＤ設定規則の種類が判定される。具体的には、制御部２０が、ＩＤ設定規則が、横方向設定規則および縦方向設定規則のいずれであるか判定する。さらに具体的には、制御部２０（算出部２１）は、記憶部３２に記憶されているＩＤ設定情報に含まれるＩＤ設定規則情報Ｒが、横方向設定規則および縦方向設定規則のいずれを特定する情報であるか判定する。
【０１２１】
ＩＤ設定規則が横方向設定規則である場合、処理はステップＳ３３３Ａへ移行する。一方、ＩＤ設定規則が縦方向設定規則である場合、処理はステップＳ３３３Ｂへ移行する。
【０１２２】
ステップＳ３３２Ｂでは、ＩＤ設定規則の種類が判定される。ステップＳ３３２Ｂの処理は、ステップＳ３３２Ａの処理と同様なので詳細な説明は繰り返さない。ＩＤ設定規則が横方向設定規則である場合、処理はステップＳ３３３Ｃへ移行する。一方、ＩＤ設定規則が縦方向設定規則である場合、処理はステップＳ３３３Ｄへ移行する。
【０１２３】
ケーブル接続構成が横方向接続構成であり、かつ、ＩＤ設定規則が横方向設定規則である場合、ステップＳ３３３Ａの処理が行われる。
【０１２４】
ステップＳ３３３Ａでは、識別番号算出処理Ａが行われる。識別番号算出処理Ａでは、算出部２１が、記憶部３２に記憶されている座標Ｐ（ｘ、ｙ）と、記憶部３２に記憶されているＩＤ設定情報に含まれる列数ｃｌとを利用して、以下の式５により、ＩＤとしての識別番号ｉを算出する。
【０１２５】
【数５】
2015210340.tif 000007
【０１２６】
ここで、図１の映像表示装置１００−６の識別番号ｉを算出する例について説明する。なお、映像表示装置１００−６が有する画面１０−６の座標Ｐ（ｘ、ｙ）は、（３，２）であるとする。また、列数ｃｌ＝４であるとする。この場合、式５により、識別番号ｉは、７と算出される。識別番号ｉが算出されると、処理はステップＳ３３４へ移行する。
【０１２７】
ステップＳ３３２ＡおよびステップＳ３３３Ａが行われることにより、算出部２１は、識別番号ｉを、ＩＤ設定規則（横方向設定規則）と、座標Ｐとに基づいて、算出する。
【０１２８】
なお、ケーブル接続構成が横方向接続構成であり、かつ、ＩＤ設定規則が縦方向設定規則である場合、ステップＳ３３３Ｂの処理が行われる。
【０１２９】
ステップＳ３３３Ｂでは、識別番号算出処理Ｂが行われる。識別番号算出処理Ｂでは、算出部２１が、記憶部３２に記憶されている座標Ｐ（ｘ、ｙ）と、記憶部３２に記憶されているＩＤ設定情報に含まれる行数ｒｗとを利用して、以下の式６により、ＩＤとしての識別番号ｉを算出する。識別番号ｉが算出されると、処理はステップＳ３３４へ移行する。
【０１３０】
【数６】
2015210340.tif 000008
【０１３１】
また、ケーブル接続構成が縦方向接続構成であり、かつ、ＩＤ設定規則が横方向設定規則である場合、ステップＳ３３３Ｃの処理が行われる。
【０１３２】
ステップＳ３３３Ｃでは、識別番号算出処理Ｃが行われる。識別番号算出処理Ｃでは、算出部２１が、記憶部３２に記憶されている座標Ｐ（ｘ、ｙ）と、記憶部３２に記憶されているＩＤ設定情報に含まれる列数ｃｌとを利用して、以下の式７により、ＩＤとしての識別番号ｉを算出する。識別番号ｉが算出されると、処理はステップＳ３３４へ移行する。
【０１３３】
【数７】
2015210340.tif 000009
【０１３４】
また、ケーブル接続構成が縦方向接続構成であり、かつ、ＩＤ設定規則が縦方向設定規則である場合、ステップＳ３３３Ｄの処理が行われる。
【０１３５】
ステップＳ３３３Ｄでは、識別番号算出処理Ｄが行われる。識別番号算出処理Ｄでは、算出部２１が、記憶部３２に記憶されている座標Ｐ（ｘ、ｙ）と、記憶部３２に記憶されているＩＤ設定情報に含まれる行数ｒｗとを利用して、以下の式８により、ＩＤとしての識別番号ｉを算出する。識別番号ｉが算出されると、処理はステップＳ３３４へ移行する。
【０１３６】
【数８】
2015210340.tif 000010
【０１３７】
ステップＳ３３４では、識別番号設定処理が行われる。識別番号設定処理では、設定部２２が、算出された識別番号ｉを、当該設定部２２を含む映像表示装置１００に対して設定する。具体的には、設定部２２は、ステップＳ３３３Ａ〜Ｓ３３３Ｄのいずれかで算出された識別番号ｉを、記憶部３２に記憶させる。
【０１３８】
ステップＳ３３５では、通常モード移行処理が行われる。通常モード移行処理は、ステップＳ２５０の処理と同様であるので詳細な説明は繰り返さない。
【０１３９】
通常モード移行処理が終了することにより、このＩＤ設定制御処理は終了するとともに、図８のＩＤ設定対応処理は終了する。なお、映像表示装置１００−２〜１００−１２の各々も、映像表示装置１００−１と同様に、ＩＤ設定対応処理を行う。
【０１４０】
以上説明したように、本実施の形態によれば、算出部２１は、デイジーチェーン接続により規定されている伝達順序に基づいて、マルチ画面１０Ａにおける、映像表示装置１０Ａが有する画面１０の座標Ｐを算出する。これにより、例えば、画面１０の座標を算出するために、従来のような撮像装置等を別途設ける必要はない。そのため、単純な構成で映像表示装置の画面の位置を認識することができる。
【０１４１】
また、本実施の形態によれば、前述したように、マルチ画面表示装置１０００を構成する各映像表示装置１００は、図１０のステップＳ３２１と、ステップＳ３２２ＡまたはステップＳ３２２Ｂとを行う。これにより、算出部２１は、ケーブル接続構成と、順序番号（ｎ）と、行列ＭＸにおける列数ｃｌまたは行数ｒｗとに基づいて、座標Ｐを容易に算出することができる。当該座標Ｐは、前述したように、マルチ画面１０Ａにおける、映像表示装置１００が有する画面１０の座標である。
【０１４２】
また、本実施の形態によれば、上記の座標Ｐが算出された後、ステップＳ３２３が行われる。これにより、制御部２０が、算出された座標Ｐを、当該制御部２０を含む映像表示装置１００に対して設定する。すなわち、各映像表示装置１００は、撮像装置などの特殊な装置を別途使用することなく、座標Ｐを、容易に設定することができる。
【０１４３】
また、本実施の形態によれば、前述したように、マルチ画面表示装置１０００を構成する各映像表示装置１００は、図１１のＩＤ設定制御処理を行う。これにより、算出部２１は、識別番号ｉを、ＩＤ設定規則と、座標Ｐとに基づいて、算出する。そして、設定部２２が、算出された識別番号ｉを、当該設定部２２を含む映像表示装置１００に対して設定する。
【０１４４】
すなわち、行列状に配置され、かつ、デイジーチェーン接続された各映像表示装置１００は、デイジーチェーン接続に従った伝達順序ではなく、作業者（人）が識別番号ｉを認識しやすいように定められたＩＤ設定規則に基づいて、当該映像表示装置１００に対し識別番号ｉを容易に設定することができる。
【０１４５】
以上により、本実施の形態によれば、マルチ画面表示装置１０００を構成する各映像表示装置１００は、座標Ｐおよび識別番号ｉを自動で算出するとともに、当該座標Ｐおよび識別番号ｉを、当該映像表示装置１００に対し自動で設定することができる。
【０１４６】
なお、従来のマルチ画面表示装置においては、各映像表示装置に識別番号を設定する場合、リモコンなどを用いて、１台の映像表示装置ごとに識別番号を設定する必要がある。そのため、識別番号の設定に非常に時間がかかるという問題点がある。
【０１４７】
また、従来では、各映像表示装置が、シリアルケーブルで、デイジーチェーン接続された構成において、識別番号を設定する場合、デイジーチェーン接続に基づく伝達順序に従って、識別番号が設定される。また、関連技術Ａでは、映像表示装置が行列状に配置されて構成されるマルチ画面表示装置において、当該映像表示装置の位置を検出するためには、カメラなどの撮像装置を使用する必要があり、コストが高くなるという問題点がある。
【０１４８】
そこで、本実施の形態は上記のように構成されるため、上記の各問題点を解決することができる。
【０１４９】
＜実施の形態１の変形例＞
本実施の形態の変形例では、実施の形態１の図８の処理により、各映像表示装置１００に対し設定された情報（例えば、識別番号ｉ）を、画面１０に表示する処理（以下、設定情報表示処理ともいう）について説明する。
【０１５０】
図１２は、設定情報表示処理のフローチャートである。図１２では、まず、ステップＳ４１０の処理が行われる。
【０１５１】
ステップＳ４１０では、外部制御装置５が、情報表示指示を、映像表示装置１００−１へ送信する。情報表示指示の送信先は、映像表示装置１００−１〜１００−１２である。情報表示指示とは、各映像表示装置１００に、設定情報としての、識別番号ｉ、座標Ｐ、順序番号（ｎ）を表示させるための指示である。
【０１５２】
映像表示装置１００−１は、情報表示指示を受信した場合、当該情報表示指示を、前述の伝達順序に従って、映像表示装置１００−２へ送信する。なお、映像表示装置１００−３〜１００−１１の各々も、映像表示装置１００−１と同様に、受信した情報表示指示を、前述の伝達順序に従って、次の映像表示装置１００へ送信する。これにより、マルチ画面表示装置１０００を構成する各映像表示装置１００は、情報表示指示を受信する。
【０１５３】
ステップＳ４２０では、マルチ画面表示装置１０００を構成する各映像表示装置１００が情報取得処理を行う。情報取得処理では、制御部２０が、記憶部３２に記憶されている、識別番号ｉ、座標Ｐおよび順序番号（ｎ）を読み出す。これにより、制御部２０は、識別番号ｉ、座標Ｐおよび順序番号（ｎ）を取得する。
【０１５４】
ステップＳ４３０では、マルチ画面表示装置１０００を構成する各映像表示装置１００が表示処理を行う。表示処理では、表示処理部３８が、識別番号ｉ、座標Ｐ、および、順序番号（ｎ）を、映像表示装置１００が有する画面１０に表示するための制御を行う。
【０１５５】
具体的には、まず、制御部２０が、表示指示と、識別番号ｉ、座標Ｐおよび順序番号（ｎ）とを、表示処理部３８へ送信する。表示指示は、識別番号ｉ、座標Ｐおよび順序番号（ｎ）を、画面１０に表示させる処理を表示処理部３８に実行させるための指示である。
【０１５６】
表示処理部３８は、表示指示を受信すると、表示部４０が画面１０に識別番号ｉ、座標Ｐおよび順序番号（ｎ）を表示するように、当該表示部４０を制御する。表示部４０は、表示処理部３８による制御に従い、識別番号ｉ、座標Ｐおよび順序番号（ｎ）を画面１０に表示する。当該表示は、例えば、ＯＳＤ（On Screen Display）機能により実行される。
【０１５７】
以上の処理により、各映像表示装置１００の画面１０には、設定情報（識別番号ｉ、座標Ｐおよび順序番号（ｎ））が表示される。図１３は、各映像表示装置１００の画面１０に表示される設定情報の一例を示す図である。
【０１５８】
図１３は、一例として、ケーブル接続構成が縦方向接続構成であり、かつ、ＩＤ設定規則が横方向設定規則である場合において、各映像表示装置１００に設定された設定情報が示される。図１３において、「ＩＤ」とは、識別番号ｉである。図１３により、例えば、映像表示装置１００−５に設定された識別番号ｉ、座標Ｐおよび順序番号（ｎ）は、それぞれ、６、（２，２）および５であることを示す。
【０１５９】
以上説明したように、本実施の形態の変形例によれば、デイジーチェーン接続された各映像表示装置１００の画面１０は、識別番号ｉ、座標Ｐおよび順序番号（ｎ）を表示する。これにより、各映像表示装置１００に設定された識別番号ｉおよび座標Ｐを容易に確認することができる。また、各映像表示装置１００の画面１０には、順序番号（ｎ）も表示されるため、ケーブル接続構成の種類を容易に知ることができる。また、マルチ画面表示装置１０００を構成する複数の映像表示装置１００において、データが伝達される順番を容易に把握することができる。
【０１６０】
（その他の変形例）
以上、本発明に係るマルチ画面表示装置（映像表示装置）について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態、実施の形態の変形例を自由に組み合わせたり、実施の形態、実施の形態の変形例を適宜、変形、省略することが可能である。
【０１６１】
例えば、映像表示装置１００は、図３に示される全ての構成要素を含まなくてもよい。すなわち、映像表示装置１００は、本発明の効果を実現できる最小限の構成要素のみを含めばよい。例えば、制御部２０が、通信処理部３６が行う処理も行うようにすれば、映像表示装置１００は、通信処理部３６を備えなくてもよい。
【０１６２】
また、本発明は、映像表示装置１００が備える特徴的な構成部の動作をステップとする識別番号設定方法として実現してもよい。また、本発明は、当該識別番号設定方法に含まれる各ステップをコンピュータが実行してもよい。また、本発明は、そのような識別番号設定方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１６３】
上記実施の形態で用いた全ての数値は、本発明を具体的に説明するための一例の数値である。すなわち、本発明は、上記実施の形態で用いた各数値に制限されない。
【０１６４】
また、本発明に係る識別番号設定方法は、図８のＩＤ設定対応処理に相当する。識別番号設定方法における各処理の実行される順序は、本発明を具体的に説明するための一例であり、上記以外の順序であってもよい。また、識別番号設定方法における処理の一部と、他の処理とは、互いに独立して並列に実行されてもよい。
【０１６５】
なお、本発明は、その発明の範囲内において、実施の形態、実施の形態の変形例を自由に組み合わせたり、実施の形態、実施の形態の変形例を適宜、変形、省略することが可能である。
【０１６６】
例えば、実施の形態１では、映像表示装置１００−１〜１００−１２の順に、各映像表示装置１００に対し、行数ｒｗ、列数ｃｌ、配線構成情報Ｗ、ＩＤ設定規則情報Ｒ、順序番号を設定する構成としていた。また、実施の形態１では、順序番号に従って、上記各情報の各パラメータを送信する構成としたがこれに限定されない。
【０１６７】
例えば、マルチ画面表示装置１０００を構成する各映像表示装置１００に対し、行数ｒｗ、列数ｃｌ、配線構成情報Ｗ、ＩＤ設定規則情報Ｒを、予め設定しておく構成としてもよい。この構成では、例えば、カウンタｎのみが、前述の伝達順序に従って、各映像表示装置１００に対し送信される。
【０１６８】
また、実施の形態１では、算出部２１は、伝達順序を示す番号である順序番号と、行列ＭＸにおける行数ｒｗまたは列数ｃｌとに基づいて、座標Ｐを算出するとしたが、これに限定されない。例えば、当該伝達順序（順序番号）のみを使用して座標Ｐを算出する式を予め定めておき、算出部２１が、当該式により、伝達順序（順序番号）のみに基づいて、座標Ｐを算出するようにしてもよい。
【０１６９】
また、図１２の設定情報表示処理では、識別番号ｉ、座標Ｐおよび順序番号（ｎ）の全てを表示する構成としたがこれに限定されない。設定情報表示処理では、識別番号ｉ、座標Ｐおよび順序番号（ｎ）の一部を、画面１０に表示する構成（以下、変形構成Ａともいう）としてもよい。変形構成Ａの設定情報表示処理では、表示処理部３８が、識別番号ｉ、座標Ｐ、および、順序番号（ｎ）の一部（例えば、識別番号ｉのみ）を、映像表示装置１００が有する画面１０に表示するための制御を行う。
【符号の説明】
【０１７０】
５  外部制御装置、１０，１０−１，１０−２，１０−３，１０−４，１０−５，１０−６，１０−７，１０−８，１０−９，１０−１０，１０−１１，１０−１２  画面、２０  制御部、２１  算出部、２２  設定部、３２  記憶部、３６  通信処理部、３８  表示処理部、４０  表示部、７１  通信ケーブル、１００，１００−１，１００−２，１００−３，１００−４，１００−５，１００−６，１００−７，１００−８，１００−９，１００−１０，１００−１１，１００−１２  映像表示装置、１０００  マルチ画面表示装置。
【図１】
2015210340.tif 000011
【図２】
2015210340.tif 000012
【図３】
2015210340.tif 000013
【図４】
2015210340.tif 000014
【図５】
2015210340.tif 000015
【図６】
2015210340.tif 000016
【図７】
2015210340.tif 000017
【図８】
2015210340.tif 000018
【図９】
2015210340.tif 000019
【図１０】
2015210340.tif 000020
【図１１】
2015210340.tif 000021
【図１２】
2015210340.tif 000022
【図１３】
2015210340.tif 000023